(57)【特許請求の範囲】
【請求項１】
上部が開口されるとともに底部に排気口が形成されたコンロ本体と、コンロ本体の開口部を隙間を開けて覆う蓋体と、コンロ本体内に配置して木炭を載置するスノコと、を備え、
コンロ本体の排気口には、コンロ本体内の空気を強制的に排気する排気手段を設け、コンロ本体の上部開口と蓋体との隙間を通して、外部空気をコンロ本体内に吸入することを特徴とするコンロ。
【請求項２】
前記コンロ本体には、コンロ本体内に吸入された外部空気の流路を確保しながらコンロ本体の内部空間を仕切って、コンロ本体内に吸入された外部空気をスノコ上に載置された木炭に導く仕切板が取り付けられることを特徴とする請求項１記載のコンロ。
【発明の詳細な説明】
【技術分野】
【０００１】
本発明は、木炭を燃料として、焼肉等に使用されるコンロに関する。
【背景技術】
【０００２】
木炭を燃料とするコンロでは、木炭に着火させるのが困難で、着火するまでに時間がかかるため、従来から、木炭に火種をつけてから、扇いで風を送ったり、空気窓を設けて空気を送り、着火を容易にするように試みられていた。
【０００３】
しかし、単に空気窓を設けるだけでは、木炭に空気を十分に供給することができず、着火容易性を高めるのは困難である。このため、空気窓に送風機を取り付けて、強制的に風を送ることで着火を容易にするように構成されたコンロが提案されている（例えば、特許文献１，２参照。）。
【特許文献１】特開昭６１−１４９７２８号公報
【特許文献２】実用新案登録第３０３１５９５号公報
【発明の開示】
【発明が解決しようとする課題】
【０００４】
しかしながら、上記した特許文献に記載されたコンロでは、送風機により風を一方的に送り込むのみであって、木炭に空気を導くのは難かしいため、短時間で容易に着火して木炭を燃焼させるのは困難である。また、火種から炎が舞い上がって、危険であるといった問題点があった。
【０００５】
本発明は、このような事情に鑑み創案されたもので、木炭への着火が容易で、短時間で木炭を好適に燃焼させることができるコンロを提供するものである。
【課題を解決するための手段】
【０００６】
本発明は、上部が開口されるとともに底部に排気口が形成されたコンロ本体と、コンロ本体の開口部を隙間を開けて覆う蓋体と、コンロ本体内に配置して木炭を載置するスノコと、を備え、コンロ本体の排気口には、コンロ本体内の空気を強制的に排気する排気手段を設け、コンロ本体の上部開口と蓋体との隙間を通して、外部空気をコンロ本体内に吸入することを特徴とする。
【０００７】
この発明によれば、排気手段により排気口からコンロ本体内の空気を強制排気すると、コンロ本体内の空気圧が減少するため、開口部と蓋体との間の隙間からコンロ本体内に外気が流入する。したがって、コンロ本体内に木炭を設置して火種を付けておくと、木炭に大量の空気が供給され、木炭を短時間で容易に着火させることができる。
【０００８】
また、排気口から強制排気しているので、火種から炎が上がるようなこともなく、安全である。
【０００９】
上記構成のコンロにおいて、前記コンロ本体に、コンロ本体内に吸入された外部空気の流路を確保しながらコンロ本体の内部空間を仕切って、コンロ本体内に吸入された外部空気をスノコ上に載置された木炭に導く仕切板を取り付けた場合は、効率的に空気を木炭に供給することができる。したがって、短時間で着火できるとともに、着火後の火力を強めることができる。
【発明の効果】
【００１０】
本発明に係るコンロによれば、木炭への着火が容易で、短時間で木炭を好適に燃焼させることができる。
【発明を実施するための最良の形態】
【００１１】
以下、本発明の実施の形態について、図面を参照して説明する。
【００１２】
図１には、本実施形態のコンロ１の全体が示されており、図２には、図１のコンロ１の正面が一部を破断して示されている。
【００１３】
このコンロ１は、上部が開口されるとともに底部２３に排気口２４が形成されたコンロ本体２と、コンロ本体２の開口部２１を覆う蓋体３と、コンロ本体内に配置して木炭を載置するスノコ４とを備えている。
【００１４】
コンロ本体２は、図１に示すように、開口部２１から側方に拡開するとともに底部２３に向かって窄まった側壁２２ａと、この側壁２２ａと連続する前後壁２２ｂと、底部２３を構成する底壁２３ａからなる平面視長方形状の筐体である。
【００１５】
また、コンロ本体２の底壁２３ａには、排気口２４が形成されており、この排気口２４には、排気筒２５を介して、図示しない吸引ポンプ（排気手段）が接続されている。
【００１６】
さらに、コンロ本体２には、仕切板２６が取り付けられている。
【００１７】
この仕切板２６は、コンロ本体２の内部空間を上下方向に仕切る水平仕切板２７と、この水平仕切板２７の鉛直方向に互いに所定距離だけ離隔して配置される一対の鉛直仕切板２８，２８と、から構成されている。
【００１８】
水平仕切板２７は、長方形状の薄板であって、その両長辺とコンロ本体２の拡開部２２との間に空隙２ｄがそれぞれ形成されるように（図２参照）、両短辺がコンロ本体２の前後壁２２ｂに取り付けられている。
【００１９】
鉛直仕切板２８は、一端が内側に折り曲げられてスノコ載置部２８ａが形成された薄板で形成されている。この鉛直仕切板２８は、コンロ本体２の水平仕切板２７の上方に位置するように、かつ、上端部がコンロ本体２の開口部２１から長さＬだけ突出するように、コンロ本体２の開口部２１および前後壁２２ｂに取り付けられている。また、鉛直仕切板２８のコンロ本体２の開口部２１から突出した部分２８ｂよりも下側には、複数の通気口２９が形成されている。
【００２０】
蓋体３は、コンロ本体２の開口部２１を覆い、その高さＨは、上記した鉛直仕切板２８のコンロ本体２の開口部２１から突出した部分２８ｂの長さＬよりも短くなるように設定されている。また、蓋体３には、使用者が手で持つための取っ手３１が設けられている。
【００２１】
スノコ４は、複数の通孔４１が穿孔された長方形状の薄板であって、対向する鉛直仕切板２８のスノコ載置部２８ａ間に架け渡されている。
【００２２】
次に、上記構成のコンロ１の使用方法を説明する。
【００２３】
使用者は、まず、スノコ４の上に木炭と、この木炭に着火するための火種を載せる。
【００２４】
次に、蓋体３で開口部２１を覆い、排気筒２５に取り付けた吸引ポンプを作動させて、排気筒２５からコンロ本体２内の空気を強制排気する。
【００２５】
蓋体３と開口部２１との間には、鉛直仕切板２８の突出部の長さＬと、蓋体の高さＨとの差（Ｌ−Ｈ）だけコンロ本体２の前後面に隙間３ｄが生じるので、排気筒２５からコンロ本体２内の空気を強制排気すると、コンロ本体２内の空気圧が減少するため、この隙間３ｄから外気がコンロ本体２内へ勢いよく流入する。この流入した空気は、鉛直仕切板２８の通気口２９、コンロ本体２と水平仕切板２７との間の空隙２ｄ、およびスノコ４の通孔４１を流れて、排気筒２５から排気される。
【００２６】
このような空気の流れが発生するために、コンロ本体２内に吸入された外部空気は、スノコ４上に載置された木炭に導かれ、木炭には、空気が十分供給されるので、短時間で容易に着火させることができる。本実施形態では、木炭と火種をセットして吸引ポンプを作動させてから、木炭が着火して明るい赤熱状態になるまでに要する時間は、約４分ないし５分で足りる。
【００２７】
木炭が着火して、明るい赤熱状態になれば、吸引ポンプを止めて排気を終了し、蓋体３を取り外す。
【００２８】
その後、肉や野菜等を載せた焼き網を鉛直仕切板２８に置いて、焼肉等を楽しむことができる。
【００２９】
なお、肉や野菜等を焼いている間において、排気量を調節しながら吸引ポンプを作動させることにより、火力を調整することも可能である。
【産業上の利用可能性】
【００３０】
本発明は、木炭への着火が容易で、短時間で木炭を好適に燃焼させることができるコンロに適用できる。
【図面の簡単な説明】
【００３１】
【図１】本発明に係るコンロの全体を示す分解斜視図である。
【図２】図１のコンロの正面の一部を破断して示す図である。
【符号の説明】
【００３２】
１      コンロ
２      コンロ本体
２１    開口部
２３    底部
２４    排気口
２６    仕切板
２７    水平仕切板
２８    鉛直仕切板
３      蓋体
４      スノコ
【要約】
【課題】  木炭への着火が容易で、短時間で木炭を好適に燃焼させることができるコンロを提供する。
【解決手段】  上部が開口されるとともに底部２３に排気口２４が形成されたコンロ本体２と、コンロ本体２の開口部２１を隙間を開けて覆う蓋体３と、コンロ本体２内に配置して木炭を載置するスノコ４と、を備え、コンロ本体２の排気口２４には、コンロ本体２内の空気を強制的に排気する排気手段を設け、コンロ本体２の上部開口と蓋体３との隙間を通して、外部空気をコンロ本体２内に吸入するように構成される。
【選択図】  図１
【図１】
0003689421.tif 000002
【図２】
0003689421.tif 000003